(57)【要約】【課題】釣り操作の際に、ナット部材が釣人に干渉したり緩んだりすることが防止されると共に、把持感のよいリール装着部を有する釣竿を提供する。【解決手段】前側に固定フードを設け、後側に移動フードを設けたリール装着部を有する釣竿であって、移動フード１４Ｂの後側には該移動フードと係合したナット部材１６が配設され、移動フードはナット部材の回動によって前後方向に移動するが、回転が拘束されており、該移動フードはその長さＬ１が２５〜３５ｍｍであり、ナット部材は長さＬ２が２３〜３３ｍｍであって外側に柔軟部材が被嵌されており、少なくとも固定フードの径方向反対側近くのリール装着部表面領域には柔軟部材１８が設けられているよう構成する。【選択図】        図１
2004222624.tif 000002
【特許請求の範囲】
【請求項１】
前側に固定フードを設け、後側に移動フードを設けたリール装着部を有する釣竿であって、移動フードの後側には該移動フードと係合したナット部材が配設され、移動フードはナット部材の回動によって前後方向に移動するが、回転が拘束されており、該移動フードはその長さが２５〜３５ｍｍであり、ナット部材は長さが２３〜３３ｍｍであって外側に柔軟部材が被嵌されており、少なくとも固定フードの径方向反対側近くのリール装着部表面領域には柔軟部材が設けられていることを特徴とする釣竿。
【請求項２】
前記ナット部材の本体は、前側の大径部と後側の小径部が連結されており、該大径部の内側にクリック機構が配設され、大径部と小径部の外側に前記柔軟部材が被嵌されている請求項１記載の釣竿。
【請求項３】
前記固定フードは後方が高くなった傾斜面を有し、該面上に、釣竿の長手方向に交差する凸条を設けている請求項１又は２記載の釣竿。
【発明の詳細な説明】
【０００１】
【発明の属する技術分野】
本発明は、リール装着部を有する釣竿に関する。特にスピニングリールを使用する場合に効果を奏する。
【０００２】
【従来の技術】
前側に固定フード、後側に移動フードを設け、移動フードは回転を防止されてナット部材によって前後方向に移動するよう構成したリール装着部を有する釣竿の例が、本出願人による下記特許文献１に開示されている。スピニングリールを装着して、中指と薬指との間にリール脚を挟持するような典型的な把持形態でリール装着部を把持した場合、通常、少なくとも薬指が移動フードに当接する。従って、この把持形態によって釣竿操作を行うと、移動フードを回動させる力が作用するが、既述の如く、移動フードは回動が拘束されているため、不用意にリール脚を緩めることは防止されている。
【特許文献１】
特開２００１−１７８３２３号公報
【０００３】
【発明が解決しようとする課題】
然しながら、リール装着部の後端部に位置するナット部材は、リール装着部の本体部（ネジを設けた部位）の外側に位置するため、その付近では相対的に外径が大きく、釣竿操作の際にその後端が衣服の袖口に当たったり、下腕に当たったりし易く、釣り操作の邪魔になる事がある。また、不用意に小指等でナット部材を緩めてはならない。更には、把持した際の感触は重要であり、把持感が冷たかったり、硬いため長時間使用で痛く感じたりしたのでは良い釣竿とはいえない。
【０００４】
依って本発明は、釣り操作の際に、ナット部材が釣人に干渉したり緩んだりすることが防止されると共に、把持感のよいリール装着部を有する釣竿の提供を目的とする。
【０００５】
【課題を解決するための手段】
上記目的に鑑みて本発明は、前側に固定フードを設け、後側に移動フードを設けたリール装着部を有する釣竿であって、移動フードの後側には該移動フードと係合したナット部材が配設され、移動フードはナット部材の回動によって前後方向に移動するが、回転が拘束されており、該移動フードはその長さが２５〜３５ｍｍであり、ナット部材は長さが２３〜３３ｍｍであって外側に柔軟部材が被嵌されており、少なくとも固定フードの径方向反対側近くのリール装着部表面領域には柔軟部材が設けられていることを特徴とする釣竿を提供する。
移動フードとナット部材との間に、これらを連結させる機構部材の全部又は一部であって、ナット部材と一体に回転する部材ではないリング部材が存在する場合は、移動フードの長さにはこのリング部材を含める。
【０００６】
移動フードの長さが２５〜３５ｍｍであり、ナット部材長さが２３〜３３ｍｍであるため、移動フードの開口縁からナット部材の後端位置までの長さは、６８ｍｍ以下である。従って、このリール装着部を普通の大きさの手で把持した場合、ナット部材後端位置は手首位置よりも前側に位置し、ナット部材による釣人の腕等への干渉が防止できる。また、移動フード自体の長さが２５ｍｍ以上であるため、把持した場合に移動フードに薬指と小指とを当接させ得て、ナット部材に小指が大きく掛かることを防止できる。従って、ナット部材を不用意に緩めることが防止できる。また、ナット部材は２３ｍｍ以上あるため、摘んで迅速に回動操作するための大きさを確保している。更には、ナット部材には柔軟部材が被嵌されているため、把持した手の掌が当接するが、当たりが柔らかくて感触が良い。また、各種操作において親指には力が入るが、この親指の当接領域は固定フードの径方向反対側近くのリール装着部表面領域であり、ここに柔軟部材が設けてあるため、親指が痛くなり難い。
【０００７】
請求項２では、前記ナット部材の本体は、前側の大径部と後側の小径部が連結されており、該大径部の内側にクリック機構が配設され、大径部と小径部の外側に前記柔軟部材が被嵌されている請求項１記載の釣竿を提供する。
ナット部材本体の前側部は大径であり、後側は小径であるため、これらの上に柔軟部材を被嵌させても、後側部の外径を小径にすることができ、釣り操作における既述の干渉をより効果的に防止できる。また、前側大径部は、大径である故にその内側に公知のクリック機構（の全部又は一部）を配設でき、内部が有効利用できると共に、大径部故に回動操作の際の摘み部として適する。
【０００８】
請求項３では、前記固定フードは後方が高くなった傾斜面を有し、該面上に、釣竿の長手方向に交差する凸条を設けている請求項１又は２記載の釣竿を提供する。
スピニングリールを装着した場合の記述の把持形態では、人差し指が固定フードの外側面に位置するが、この面が後方が高い傾斜面であると共に、釣竿の長手方向に交差する凸条を設けているため、釣竿操作において指が滑り難く、把持が安定する。
【０００９】
【発明の実施の形態】
以下、本発明を添付図面に示す実施形態例に基づき、更に詳細に説明する。
図１は本発明に係る釣竿の要部側面図、図２は図１のリール装着部にスピニングリールを装着して把持した側面図である。また、図３は図１のリール装着部の本体部材の側面図であり、図４は移動フードとナット部材の拡大縦断面図であり、図５は図１の矢視線Ｅ−Ｅの拡大横断面図である。エポキシ樹脂等の合成樹脂をマトリックスとし、炭素繊維等の強化繊維で強化した繊維強化合成樹脂製竿杆１０の所定位置の外側に、図３や図５に示す、概ね管状の、例えば合成樹脂製のリール装着部本体部材１２を套嵌させて接着等で固定している。このリール装着部本体部材の前側部には固定フード１４Ａが、射出成形等により一体に形成されている。しかし、別体形成されてもよい。
【００１０】
また、リール装着部本体部材の後部には所定の雄ネジ部１２Ｎが形成されている。この雄ネジ部にナット部材１６を螺合させ、該ナット部材の直前には、連結部材１５を介して連結された移動フード部材１４Ｂを位置させている。移動フード部材は、ナット部材の回動によって前後方向に移動可能に構成されている。該移動フード部材は、リール装着部本体部材に対して回動できず、前後移動のみ可能なように、図４に示す係合部１４ＢＫが、本体部材の図示しない前後方向溝に係合している。
【００１１】
リング部材１５Ｈは、連結機構部を覆い隠すための装飾部材であり、ナット部材１６と共に連れ回りはしない。このリング部材１５Ｈを含んだ移動フード部材１４Ｂの長さＬ１は２５〜３５ｍｍ、好ましくは２８〜３２ｍｍであり、リング部材に隠れた部位を除いたナット部材１６の長さＬ２は２３〜３３ｍｍ、好ましくは２６〜３０ｍｍである。長さの意義は既述の如くである。
【００１２】
ナット部材１６の本体１６Ｈは、合成樹脂によって前側大径部１６Ｈ１と後側小径部１６Ｈ２とが連結された段差状に形成されている。この前側大径部の内面とリール装着部本体部材１２外面との間の隙間空間には、図示しない公知のクリック機構が配設されている。更には、ナット部材本体１６Ｈの外側には、天然や人工のコルク、ＥＶＡ等発泡性樹脂、ゴム、エラストマー等の把持感を向上させる柔軟部材１６Ｊが配設され、接着固定されている。
【００１３】
釣人の腕等に干渉し易いナット部材の後側の（相対的に硬い）ナット部材本体は小径部であるため、干渉が防止されると共に、その上に柔軟部材を厚く形成することが容易である。従ってこの場合、干渉したとしても殆ど操作の邪魔にはならない。また、小径部１６Ｈ２領域では、この柔軟部材は後方が小径になるように円錐（台）状に形成されている。このため、釣り操作において、このナット部材１６が釣人の腕等に更に干渉し難くなる。
【００１４】
また、リールシート装着部本体部材のリール足載置面側とは径方向反対側の大部分が段差状小径部１２Ｄに形成されている。この小径部には、天然や人工のコルク、ＥＶＡ等発泡性樹脂、ゴム、エラストマー等の把持感を向上させる柔軟部材１８が配設されて、接着固定されている。
【００１５】
こうして釣竿のリール装着部には、前側に固定フード１４Ａが、後方には移動フード１４Ｂが夫々配設されている。このリール装着部にスピニングリールを装着し、このリール装着部位を把持すると図２に示す如き把持形態となる。即ち、スピニングリールの脚ＳＰを中指と薬指とで挟み、親指をリール装着部領域の上側、即ち、柔軟部材１８に載置し、人差し指の腹側は、概ね前側フード１４Ａの外側面に掛かる。薬指と小指の大半が移動フード１４Ｂ（とリング部材１５Ｈと）に掛かる。然しながら、移動フードは回動が防止されているため、把持した場合の薬指と小指とによってリール脚が緩むことが防止される。また、ナット部材１６の後端位置は、手首よりも前側である。
【００１６】
把持状態での親指の当接面は、固定フードの径方向反対側近くであり、ここは既述の柔軟部材１８であるため当接感がよい。また、この例では、中指の先部もこの柔軟部材１８に当接し、把持感が良い。更には、小指の根元付近の掌は、ナット部材の柔軟部材１６Ｊに当接し、やはり心地よい。
【００１７】
この把持状態で魚の当たりを待って合わせを行ったり、魚が掛かった場合、魚とやり取りをする際には、特に人差し指に力が入り、人差し指は竿元方向に滑ろうとする。この場合、前側フードである固定フード１４Ａは、その外側面は後方が高くなった傾斜状である。従って、人差し指の滑りを防止する傾向にあるが、更にこの固定フード外側面上に、この例では、釣竿の長手方向に対して直交する方向に延伸した凸条２０を２本、固定フードと一体に射出成形している。
【００１８】
凸条２０の高さは、０．１〜０．３ｍｍが好ましい。低すぎれば滑り止め効果が発揮できず、高過ぎては指の各種移動の邪魔になる他、指等が痛くなる。なお、この例での各凸条の幅は１．２ｍｍであり、頂部には平面部を有している。従って、指が痛くなり難い。２つの凸条間隙間も１．２ｍｍ程である。
【００１９】
或る形態例で述べた変形形態は、特に矛盾の無い限り他の形態にも適用できる。
【００２０】
【発明の効果】
以上の説明から明らかなように本発明によれば、釣り操作の際に、ナット部材が釣人に干渉したり、緩んだりすることが防止されると共に、把持感のよいリール装着部を有する釣竿の提供が可能となる。
【図面の簡単な説明】
【図１】図１は本発明に係る釣竿の要部側面図である。
【図２】図２は図１のリール装着部にスピニングリールを装着して把持した側面図である。
【図３】図３は図１のリール装着部本体部材の側面図である。
【図４】図４は図１の移動フードとナット部材の拡大縦断面図である。
【図５】図５は図１の矢視線Ｅ−Ｅによる拡大横断面図である。
【符号の説明】
１２                リール装着部本体部材
１４Ａ              固定フード
１４Ｂ              移動フード
１６                ナット部材
１６Ｈ１            前側大径部
１６Ｈ２            後側小径部
１６Ｊ              柔軟部材
１８                柔軟部材
２０                凸条
【図１】
2004222624.tif 000003
【図２】
2004222624.tif 000004
【図３】
2004222624.tif 000005
【図４】
2004222624.tif 000006
【図５】
2004222624.tif 000007